(57)【特許請求の範囲】
【請求項１】
光源の前方に配置されるレンズ体であって、後端部及び前端部を含み、前記レンズ体内部に入射した前記光源からの光が前記前端部から出射して前方に照射されることにより、上端縁にカットオフラインを含む所定配光パターンを形成するレンズ体において、
前記レンズ体内部に入射する前記光源からの光を、前方斜め上方に進行する第１の光と後方斜め上方に進行する第２の光とに分割する入射部と、
前記レンズ体内部に入射した前記第１の光を内面反射する第１反射面と、
前記レンズ体内部に入射した前記第２の光を内面反射する第２反射面と、
前記第２反射面で内面反射された前記第２の光を内面反射する第３反射面と、
前記第１反射面で内面反射された前記第１の光及び前記第３反射面で内面反射された前記第２の光の少なくとも一部を内面反射する第４反射面と、
を備えており、
前記前端部は、凸レンズ面である出射面を含み、
前記第４反射面は、前記出射面の後側焦点近傍から後方に向かって延びた反射面として構成されており、
前記入射部、前記第１反射面、前記第４反射面及び前記出射面は、前記入射部から前記レンズ体内部に入射して前記第１反射面で内面反射された前記第１の光のうち前記第４反射面によって一部遮光された光及び前記第４反射面で内面反射された光が、前記出射面から出射して前方に照射されることにより、上端縁に前記第４反射面の前端縁によって規定されるカットオフラインを含む第１部分配光パターンを形成する第１光学系を構成しており、
前記入射部、前記第２反射面、前記第３反射面、前記第４反射面及び前記出射面は、前記入射部から前記レンズ体内部に入射して前記第２反射面及び前記第３反射面で順次内面反射された前記第２の光のうち前記第４反射面によって一部遮光された光及び前記第４反射面で内面反射された光が前記出射面から出射して前方に照射されることにより、上端縁に前記第４反射面の前端縁によって規定されるカットオフラインを含む第２部分配光パターンを形成する第２光学系を構成しており、
前記所定配光パターンは、前記第１部分配光パターン及び前記第２部分配光パターンが重畳された合成配光パターンとして形成されるレンズ体。
【請求項２】
前記入射部は、前方入射面及び後方入射面を含み、
前記前方入射面及び前記後方入射面は、前記前方入射面の後端縁と前記後方入射面の前端縁とが接続され、かつ、前記光源を取り囲むように前記光源に向かって開いたＶ字形状を構成した状態で前記光源の前方に配置されており、
前記光源からの光は、前記前方入射面から前記第１の光として前記レンズ体内部に入射し、かつ、前記後方入射面から前記第２の光として前記レンズ体内部に入射する請求項１に記載のレンズ体。
【請求項３】
前記第３反射面は、前記入射部から前記レンズ体内部に入射した前記第１の光及び前記第２の光が直接入射しないように、前記第１の光と前記第２の光との間のスペースに配置されている請求項１又は２に記載のレンズ体。
【請求項４】
前記第１反射面は、前記第１の光を内面反射し、かつ、当該内面反射した前記第１の光が、鉛直方向に関し、前記出射面の後側焦点近傍に集光するように、その面形状が構成されている請求項１から３のいずれか１項に記載のレンズ体。
【請求項５】
前記第１反射面は、第１焦点が前記出射面の後側焦点近傍に設定され、かつ、第２焦点が前記第１の光を逆方向に延長した場合の交点である仮想焦点近傍に設定された楕円形状の反射面として構成されている請求項４に記載のレンズ体。
【請求項６】
前記第２反射面は、前記第２の光を内面反射し、かつ、当該内面反射した前記第２の光が、前記第３反射面に向かって進行するように、その面形状が構成されており、
前記第３反射面は、前記第２反射面が内面反射した前記第２の光を内面反射し、かつ、当該内面反射した前記第２の光が、鉛直方向に関し、前記出射面の後側焦点近傍に集光するように、その面形状が構成されている請求項１から５いずれか１項に記載のレンズ体。
【請求項７】
前記第２反射面は、一方の焦点が前記第２の光を逆方向に延長した場合の交点である仮想焦点近傍に設定され、他方の焦点が前記光源の下方の位置に設定された双曲線形状の反射面として構成されており、
前記第３反射面は、第１焦点が前記出射面の後側焦点近傍に設定され、かつ、第２焦点が前記他方の焦点近傍に設定された楕円形状の反射面として構成されている請求項６に記載のレンズ体。
【請求項８】
請求項１から７のいずれか１項に記載のレンズ体と、前記光源と、を備えた車両用灯具。
【発明の詳細な説明】
【技術分野】
【０００１】
本発明は、レンズ体及び車両用灯具に係り、特に、光源の前方に配置されたレンズ体及びこれを備えた車両用灯具に関する。
【背景技術】
【０００２】
従来、光源と光源の前方に配置されたレンズ体とを備えた車両用灯具が提案されている（例えば、特許文献１参照）。
【０００３】
図１５は、特許文献１に記載の車両用灯具２００の縦断面図である。
【０００４】
図１５に示すように、特許文献１に記載の車両用灯具２００は、半導体発光素子を有する光源２１０、光源２１０の前方に配置されたレンズ体２２０を備えており、レンズ体２２０表面には、発光面を上向きにした姿勢で配置された光源２１０を上方から覆う半球形状の入射面２２１、入射面２２１からレンズ体２２０内部に入射する光源２１０からの光の進行方向に配置された第１反射面２２２、第１反射面２２２の下端縁から前方に向かって延びる第２反射面２２３、凸レンズ面２２４等が形成されている。
【先行技術文献】
【特許文献】
【０００５】
【特許文献１】特許第４０４７１８６号公報
【発明の概要】
【発明が解決しようとする課題】
【０００６】
しかしながら、上記構成の車両用灯具２００においては、次の課題がある。
【０００７】
すなわち、第１反射面２２２及び第２反射面２２３がレンズ体２２０の表面に施された金属蒸着により形成された反射面（反射率が最高で９５％程度）として構成されているため、当該金属蒸着により形成された反射面２２２、２２３で反射損失（光損失）が生じる結果、光利用効率が低下するという問題がある。また、金属蒸着を施すための設備、工程、金属材料等が必要となるため、コストアップを招くという問題、金属蒸着により形成された反射面２２２、２２３（反射膜）の耐久性が低いという問題もある。
【０００８】
本発明は、このような事情に鑑みてなされたものであり、コストアップ等の要因となる金属蒸着を省略でき、かつ、反射損失（光損失）が生ずるのを抑制することができるレンズ体及びこれを備えた車両用灯具を提供することを目的とする。
【課題を解決するための手段】
【０００９】
上記目的を達成するため、請求項１に記載の発明は、光源の前方に配置されるレンズ体であって、後端部及び前端部を含み、前記レンズ体内部に入射した前記光源からの光が前記前端部から出射して前方に照射されることにより、上端縁にカットオフラインを含む所定配光パターンを形成するレンズ体において、前記レンズ体内部に入射する前記光源からの光を、前方斜め上方に進行する第１の光と後方斜め上方に進行する第２の光とに分割する入射部と、前記レンズ体内部に入射した前記第１の光を内面反射する第１反射面と、前記レンズ体内部に入射した前記第２の光を内面反射する第２反射面と、前記第２反射面で内面反射された前記第２の光を内面反射する第３反射面と、前記第１反射面で内面反射された前記第１の光及び前記第３反射面で内面反射された前記第２の光の少なくとも一部を内面反射する第４反射面と、を備えており、前記前端部は、凸レンズ面である出射面を含み、前記第４反射面は、前記出射面の後側焦点近傍から後方に向かって延びた反射面として構成されており、前記入射部、前記第１反射面、前記第４反射面及び前記出射面は、前記入射部から前記レンズ体内部に入射して前記第１反射面で内面反射された前記第１の光のうち前記第４反射面によって一部遮光された光及び前記第４反射面で内面反射された光が、前記出射面から出射して前方に照射されることにより、上端縁に前記第４反射面の前端縁によって規定されるカットオフラインを含む第１部分配光パターンを形成する第１光学系を構成しており、前記入射部、前記第２反射面、前記第３反射面、前記第４反射面及び前記出射面は、前記入射部から前記レンズ体内部に入射して前記第２反射面及び前記第３反射面で順次内面反射された前記第２の光のうち前記第４反射面によって一部遮光された光及び前記第４反射面で内面反射された光が前記出射面から出射して前方に照射されることにより、上端縁に前記第４反射面の前端縁によって規定されるカットオフラインを含む第２部分配光パターンを形成する第２光学系を構成しており、前記所定配光パターンは、前記第１部分配光パターン及び前記第２部分配光パターンが重畳された合成配光パターンとして形成されることを特徴とする。
【００１０】
請求項１に記載の発明によれば、コストアップ等の要因となる金属蒸着を省略でき、かつ、反射損失（光損失）が生ずるのを抑制することができるレンズ体を提供することができる。
【００１１】
これは、レンズ体内部に入射する光源からの光を、前方斜め上方に進行する第１の光と後方斜め上方に進行する第２の光とに分割する入射部、レンズ体内部に入射した第１の光を内面反射（全反射。理論上、反射率が１００％）する第１反射面、レンズ体内部に入射した第２の光を内面反射する第２反射面、第２反射面で内面反射された第２の光を内面反射する第３反射面、第１反射面で内面反射された第１の光及び第３反射面で内面反射された第２の光の少なくとも一部を内面反射する第４反射面を備えたことによるものである。
【００１２】
請求項２に記載の発明は、請求項１に記載の発明において、前記入射部は、前方入射面及び後方入射面を含み、前記前方入射面及び前記後方入射面は、前記前方入射面の後端縁と前記後方入射面の前端縁とが接続され、かつ、前記光源を取り囲むように前記光源に向かって開いたＶ字形状を構成した状態で前記光源の前方に配置されており、前記光源からの光は、前記前方入射面から前記第１の光として前記レンズ体内部に入射し、かつ、前記後方入射面から前記第２の光として前記レンズ体内部に入射することを特徴とする。
【００１３】
請求項２に記載の発明によれば、前方入射面及び後方入射面の作用により、光源からの光を、前方入射面からレンズ体内部に入射して前方斜め上方に進行する第１の光と後方入射面からレンズ体内部に入射して後方斜め上方に進行する第２の光とに分割することができる。
【００１４】
請求項３に記載の発明は、請求項１又は２に記載の発明において、前記第３反射面は、前記入射部から前記レンズ体内部に入射した前記第１の光及び前記第２の光が直接入射しないように、前記第１の光と前記第２の光との間のスペースに配置されていることを特徴とする。
【００１５】
請求項３に記載の発明によれば、第１の光及び第２の光が第３反射面に直接入射して制御されない光（例えば、グレア光）となるのを抑制することができる。
【００１６】
請求項４に記載の発明は、請求項１から３のいずれか１項に記載の発明において、前記第１反射面は、前記第１の光を内面反射し、かつ、当該内面反射した前記第１の光が、鉛直方向に関し、前記出射面の後側焦点近傍に集光するように、その面形状が構成されていることを特徴とする。
【００１７】
請求項４に記載の発明によれば、カットオフライン近傍の光度が相対的に高い遠方視認性に優れた所定配光パターンを形成することができる。
【００１８】
請求項５に記載の発明は、請求項４に記載の発明において、前記第１反射面は、第１焦点が前記出射面の後側焦点近傍に設定され、かつ、第２焦点が前記第１の光を逆方向に延長した場合の交点である仮想焦点近傍に設定された楕円形状の反射面として構成されていることを特徴とする。
【００１９】
請求項５に記載の発明によれば、請求項４と同様の効果を奏することができる。
【００２０】
請求項６に記載の発明は、請求項１から５のいずれか１項に記載の発明において、前記第２反射面は、前記第２の光を内面反射し、かつ、当該内面反射した前記第２の光が、前記第３反射面に向かって進行するように、その面形状が構成されており、前記第３反射面は、前記第２反射面が内面反射した前記第２の光を内面反射し、かつ、当該内面反射した前記第２の光が、鉛直方向に関し、前記出射面の後側焦点近傍に集光するように、その面形状が構成されていることを特徴とする。
【００２１】
請求項６に記載の発明によれば、カットオフライン近傍の光度が相対的に高い遠方視認性に優れた所定配光パターンを形成することができる。
【００２２】
請求項７に記載の発明は、請求項６に記載の発明において、前記第２反射面は、一方の焦点が前記第２の光を逆方向に延長した場合の交点である仮想焦点近傍に設定され、他方の焦点が前記光源の下方の位置に設定された双曲線形状の反射面として構成されており、前記第３反射面は、第１焦点が前記出射面の後側焦点近傍に設定され、かつ、第２焦点が前記他方の焦点近傍に設定された楕円形状の反射面として構成されていることを特徴とする。
【００２３】
請求項７に記載の発明によれば、請求項６と同様の効果を奏することができる。
【００２４】
本発明は、次のように特定することもできる。
【００２５】
請求項１から７のいずれか１項に記載のレンズ体と、前記光源と、を備えた車両用灯具。
【発明の効果】
【００２６】
本発明によれば、コストアップ等の要因となる金属蒸着を省略でき、かつ、反射損失（光損失）が生ずるのを抑制することができるレンズ体及びこれを備えた車両用灯具を提供することが可能となる。
【図面の簡単な説明】
【００２７】
【図１】本発明の一実施形態である車両用灯具１０の斜視図である。
【図２】車両用灯具１０の縦断面図である。
【図３】（ａ）レンズ体１４内部に入射した光源１２からの光が、出射面１４ｃ（基準軸ＡＸより下の下面１４ｃ１及び上の上面１４ｃ２）から出射する様子を表す図（縦断面図）、（ｂ）車両用灯具１０（レンズ体１４）により、車両前面に正対した仮想鉛直スクリーン（車両前面から約２５ｍ前方に配置されている）上に形成されるロービーム用配光パターンＰの例、（ｃ）上面配光パターンＰ１14c2、Ｐ２14c2の例、（ｄ）下面配光パターンＰ１14c1、Ｐ２14c1の例である。
【図４】車両用灯具１０の縦断面図（主要光学面のみ）である。
【図５】仮想焦点ＶＦ１、ＶＦ２を説明するための図である。
【図６】前方入射面１４ａ１（及び後方入射面１４ａ２）の横断面図である。
【図７】第１反射面１４ｂ１を説明するための縦断面図である。
【図８】第１反射面１４ｂ１で内面反射された第１の光Ｒａｙ１が辿る光路を表す図である。
【図９】（ａ）第１反射面１４ｂ１（楕円形状）の長軸ＡＸ14b1を基準軸ＡＸに一致させた例、（ｂ）第１反射面１４ｂ１（楕円形状）の長軸ＡＸ14b1を基準軸ＡＸに対して５°傾斜させた例、（ｃ）第１反射面１４ｂ１（楕円形状）の長軸ＡＸ14b1を基準軸ＡＸに対して１０°傾斜させた例である。
【図１０】水平に対して傾斜した第４反射面１４ｂ４の例である。
【図１１】（ａ）第４反射面１４ｂ４の上面図、（ｂ）正面図、（ｃ）斜視図、（ｄ）側面図である。
【図１２】第２反射面１４ｂ２を説明するための縦断面図である。
【図１３】（ａ）第２反射面１４ｂ２で内面反射された第２の光Ｒａｙ２（第２の光線群）が平行の状態で第３反射面１４ｂ３に向かって進行する様子を表す図、（ｂ）第２反射面１４ｂ２で内面反射された第２の光Ｒａｙ２（第２の光線群）が交差した状態で第３反射面１４ｂ３に向かって進行する様子を表す図である。
【図１４】第３反射面１４ｂ３を説明するための縦断面図である。
【図１５】特許文献１に記載の車両用灯具２００の縦断面図である。
【発明を実施するための形態】
【００２８】
以下、本発明の一実施形態である車両用灯具について、図面を参照しながら説明する。
【００２９】
図１は本発明の一実施形態である車両用灯具１０の斜視図、図２は縦断面図である。図３（ｂ）は、車両用灯具１０（レンズ体１４）により、車両前面に正対した仮想鉛直スクリーン（車両前面から約２５ｍ前方に配置されている）上に形成されるロービーム用配光パターンＰの例である。
【００３０】
図１、図２に示すように、本実施形態の車両用灯具１０は、光源１２、光源１２の前方に配置されたレンズ体１４等を備え、図３（ｂ）に示すように、上端縁にカットオフラインＣＬ１〜ＣＬ３を含むロービーム用配光パターンＰを形成する。
【００３１】
図４は、車両用灯具１０の縦断面図（主要光学面のみ）である。
【００３２】
光源１２は、例えば、図４に示すように、金属製の基板Ｋの表面に実装された白色ＬＤ光源等の半導体発光素子である。もちろん、これに限らず、光源１２は、白色ＬＥＤ光源であってもよいし、それ以外の光源であってもよい。白色ＬＤ光源の個数は、１以上であればよい。
【００３３】
白色ＬＤ光源は、例えば、青色域（例えば、発光波長が４５０ｎｍ）のレーザー光を放出するレーザーダイオード（ＬＤ）及び当該レーザーダイオードからのレーザー光を受けて当該レーザー光の少なくとも一部を異なる波長の光に変換する波長変換部材（例えば、青色域のレーザー光によって励起されて黄色光を発光する外形が0.4mm×0.8mmの矩形形状の板状（又は層状）の蛍光体）を備えた光源として構成されている。この構成の白色ＬＤ光源は、波長変換部材を透過した青色域のレーザー光と青色域のレーザー光によって励起されて波長変換部材が発光した黄色光との混色による白色光（疑似白色光）を放出する。
【００３４】
光源１２は、その発光面を上方に向けた姿勢でレンズ体１４の光源点Ｆ14（光学設計上の基準点）近傍に配置されている。光源１２の光軸ＡＸ12は、図４に示すように、前方入射面１４ａ１と後方入射面１４ａ２との接続点である入射面交点ＳPを通り、かつ、鉛直線ＡVに対して傾斜している。もちろん、これに限らず、光源１２の光軸ＡＸ12は、鉛直線Ａvに一致していてもよい。
【００３５】
光源１２が半導体発光素子（例えば白色ＬＤ光源）である場合、当該光源１２（発光面）から放出される光の指向特性はランバーシアンで、Ｉ（θ）＝Ｉ0×cosθで表すことができる。これは、光源１２が放出する光の広がりを表している。但し、Ｉ（θ）は光源１２の光軸ＡＸ12から角度θ傾いた方向の光度を表し、Ｉ0は光軸ＡＸ12上の光度を表している。光源１２では、光軸ＡＸ12上（θ＝０）の光度が最大となる。
【００３６】
図１、図２に示すように、レンズ体１４は、光源１２の前方に配置されるレンズ体であって、後端部１４ＡＡ及び前端部１４ＢＢを含み、レンズ体１４内部に入射した光源１２からの光が前端部１４ＢＢ（出射面１４ｃ）から出射して前方に照射されることにより、上端縁にカットオフラインＣＬ１〜ＣＬ３を含むロービーム用配光パターンＰ（図３（ｂ）参照）を形成するレンズ体として構成されている。レンズ体１４の材料は、ポリカーボネイトであってもよいし、それ以外のアクリル等の透明樹脂であってもよいし、ガラスであってもよい。
【００３７】
ロービーム用配光パターンＰ（図３（ｂ）参照）は、後述する第１光学系によって形成される第１部分配光パターンＰ１及び第２光学系によって形成される第２部分配光パターンＰ２が重畳された合成配光パターンとして形成される。
【００３８】
図４に示すように、レンズ体１４の主に後端部１４ＡＡは、レンズ体１４内部に入射する光源１２からの光（正確には、光源点Ｆ14からの光線群）を、前方斜め上方に進行する第１の光Ｒａｙ１（第１の光線群）と後方斜め上方に進行する第２の光Ｒａｙ２（第２の光線群）とに分割（スプリット）する入射部１４ａ、レンズ体１４内部に入射した第１の光Ｒａｙ１を内面反射（全反射）する第１反射面１４ｂ１、レンズ体１４内部に入射した第２の光Ｒａｙ２を内面反射（全反射）する第２反射面１４ｂ２、第２反射面１４ｂ２で内面反射された第２の光Ｒａｙ２を内面反射（全反射）する第３反射面１４ｂ３、及び、第１反射面１４ｂ１で内面反射された第１の光Ｒａｙ１及び第３反射面１４ｂ３で内面反射された第２の光Ｒａｙ２の少なくとも一部を内面反射（全反射）する第４反射面１４ｂ４を含んでいる。
【００３９】
レンズ体１４の前端部１４ＢＢは、凸レンズ面である出射面１４ｃを含んでいる。
【００４０】
まず、第１部分配光パターンＰ１（図３（ｂ）参照）を形成する第１光学系について説明する。
【００４１】
図２、図４に示すように、入射部１４ａ（前方入射面１４ａ１）、第１反射面１４ｂ１、第４反射面１４ｂ４及び出射面１４ｃは、入射部１４ａ（前方入射面１４ａ１）からレンズ体１４内部に入射して第１反射面１４ｂ１で内面反射された第１の光Ｒａｙ１のうち第４反射面１４ｂ４によって一部遮光された光及び第４反射面１４ｂ４で内面反射された光が、出射面１４ｃから出射して前方に照射されることにより、上端縁に第４反射面１４ｂ４の前端縁１４ｂ５によって規定されるカットオフラインＣＬ１〜ＣＬ３を含む第１部分配光パターンＰ１（図３（ｂ）参照）を形成する第１光学系を構成している。
【００４２】
第１部分配光パターンＰ１（図３（ｂ）参照）は、後述する下面配光パターンＰ１14c1（図３（ｄ）参照）及び上面配光パターンＰ１14c2（図３（ｃ）参照）が重畳された合成配光パターンとして形成される。
【００４３】
図４に示すように、入射部１４ａは、前方入射面１４ａ１及び後方入射面１４ａ２を含んでいる。前方入射面１４ａ１及び後方入射面１４ａ２は、前方入射面１４ａ１の後端縁と後方入射面１４ａ２の前端縁とが接続され、かつ、光源１２を取り囲むように光源１２に向かって開いたＶ字形状を構成した状態で光源１２の前方に配置されている。前方入射面１４ａ１と後方入射面１４ａ２との接続点である入射面交点ＳP及び光源点Ｆ14を結ぶ直線は、鉛直線Ａvに対して傾斜している。もちろん、これに限らず、前方入射面１４ａ１と後方入射面１４ａ２との接続点である入射面交点ＳP及び光源点Ｆ14を結ぶ直線は、鉛直線Ａvに一致していてもよい。
【００４４】
前方入射面１４ａ１（縦断面）は、光源１２からの光の一部（例えば、光源１２の光軸ＡＸ12からの角度範囲が０〜７５度の光）が屈折してレンズ体１４内部に入射する面で、図４に示すように、当該前方入射面１４ａ１からレンズ体１４内部に入射した光源１２からの光が、鉛直方向に関し、屈折（集光）して前方斜め上方に進行する第１の光Ｒａｙ１（すなわち、光源１２の光軸ＡＸ12に対して前方に前方スプリット角θf以上傾いた光線群）となるように、その面形状が構成されている。
【００４５】
具体的には、前方入射面１４ａ１は、光源１２の光軸ＡＸ12より前方において光源１２をその上方から取り囲むように前方斜め下方に向かって傾斜した姿勢で配置された概ね平面形状の面として構成されている。
【００４６】
前方入射面１４ａ１からレンズ体１４内部に入射した第１の光Ｒａｙ１は、鉛直方向に関し、屈折（集光）して図５に示す仮想焦点ＶＦ１から出射した光線のように進行する。すなわち、仮想焦点ＶＦ１は、前方入射面１４ａ１からレンズ体１４内部に入射した第１の光Ｒａｙ１（第１の光線群）を逆方向に延長した場合の交点のことである。
【００４７】
前方スプリット角θfは、前方入射面１４ａ１の傾き角度θfiが小さい程大きくなり、逆に、前方入射面１４ａ１の傾き角度θfiが大きい程小さくなる。
【００４８】
一方、前方入射面１４ａ１（横断面）は、ロービーム用配光パターンＰの水平方向の光度分布が所望のものとなるように、その面形状が構成されている。
【００４９】
具体的には、前方入射面１４ａ１（横断面）は、光源１２からの光が高効率でレンズ体１４内部に入射するように、直線とＲとを組み合わせた形状（図６参照）とされている。もちろん、これに限らず、前方入射面１４ａ１（横断面）は、光源１２を上方から取り囲むように、光源１２に向かって凹の円弧形状とされていてもよい。
【００５０】
第１反射面１４ｂ１は、前方入射面１４ａ１からレンズ体１４内部に入射した第１の光Ｒａｙ１を内面反射（全反射）する面で、金属蒸着は用いていない。
【００５１】
第１反射面１４ｂ１（縦断面）は、第１の光Ｒａｙ１を内面反射し、かつ、当該内面反射した第１の光Ｒａｙ１が、鉛直方向に関し、出射面１４ｃの後側焦点Ｆ14c近傍に集光するように、その面形状が構成されている。
【００５２】
具体的には、第１反射面１４ｂ１（縦断面）は、図７に示すように、第１焦点Ｆ１14b1が出射面１４ｃの後側焦点Ｆ14c近傍に設定され、かつ、第２焦点Ｆ２14b1が第１の光Ｒａｙ１（第１の光線群）を逆方向に延長した場合の交点である仮想焦点ＶＦ１近傍に設定された楕円形状（又はこれに類する自由曲面等）の反射面のうち、第１の光Ｒａｙ１を内面反射する範囲の反射面である。
【００５３】
上記楕円形状の反射面のうち、第１の光Ｒａｙ１を内面反射する範囲の反射面は、レンズ体１４の材料（屈折率）、楕円形状（車両前後方向に延びる基準軸ＡＸに対する楕円形状の長軸ＡＸ14b1の傾斜角度θR1、楕円形状の長軸ＡＸ14b1の長さ等）、鉛直線Ａvに対する光源１２の光軸ＡＸ12の傾斜角度θL、前方入射面１４ａ１の形状（前方スプリット角θf、第１の光Ｒａｙ１の屈折（集光）の程度等）等に応じて変動するため、具体的な数値等で表すのは困難である。
【００５４】
しかしながら、例えば、所定のシミュレーションソフトウエアを用いて、レンズ体１４の材料（屈折率）、楕円形状（基準軸ＡＸに対する楕円形状の長軸ＡＸ14b1の傾斜角度θR1、楕円形状の長軸ＡＸ14b1の長さ等）、鉛直線Ａvに対する光源１２の光軸ＡＸ12の傾斜角度θL、前方入射面１４ａ１の形状（前方スプリット角θf、第１の光Ｒａｙ１の屈折（集光）の程度等）等のうち、少なくとも１つを変更（調整）し、変更するごとに、前方入射面１４ａ１からレンズ体１４内部に入射した第１の光Ｒａｙ１（正確には、光源点Ｆ14からの光線群）の光路を確認することで、上記楕円形状の反射面のうち、第１の光Ｒａｙ１を内面反射する範囲の反射面（すなわち、第１反射面１４ｂ１）を見出すことができる。
【００５５】
一方、第１反射面１４ｂ１（横断面）は、ロービーム用配光パターンＰの水平方向の光度分布が所望のものとなるように、その面形状が構成されている。例えば、第１反射面１４ｂ１（横断面）は、上記楕円形状を基本としつつ、ロービーム用配光パターンＰの水平方向の光度分布が所望のものとなるように、上記基本の楕円形状を調整した形状の反射面として構成されている。図８は、第１反射面１４ｂ１で内面反射された第１の光Ｒａｙ１が辿る光路を表している。
【００５６】
第１反射面１４ｂ１（楕円形状）の長軸ＡＸ14b1は、図７に示すように、（第３反射面１４ｂ３で内面反射された第２の光Ｒａｙ２を遮らない範囲において）基準軸ＡＸに対して傾斜している。もちろん、これに限らず、第１反射面１４ｂ１（楕円形状）の長軸ＡＸ14b1は、基準軸ＡＸに一致していてもよい（図９（ａ）参照）。
【００５７】
第１反射面１４ｂ１（楕円形状）の長軸ＡＸ14b1を基準軸ＡＸに対して傾斜させる（図９（ｂ）、図９（ｃ）参照）ことで、第１反射面１４ｂ１（楕円形状）の長軸ＡＸ14b1を基準軸ＡＸに対して傾斜させない場合（図９（ａ）参照）と比べ、出射面１４ｃの中央寄りを通る第１の光Ｒａｙ１が増加する。その結果、第１反射面１４ｂ１で内面反射された第１の光Ｒａｙ１の出射面１４ｃに対する入射効率が向上する。また、第１の光Ｒａｙ１が出射面１４ｃから出射する際のフレネル反射損失を抑制することもできる。
【００５８】
図９（ａ）は第１反射面１４ｂ１（楕円形状）の長軸ＡＸ14b1を基準軸ＡＸに一致させた例、図９（ｂ）は第１反射面１４ｂ１（楕円形状）の長軸ＡＸ14b1を基準軸ＡＸに対して５°傾斜させた例、図９（ｃ）は第１反射面１４ｂ１（楕円形状）の長軸ＡＸ14b1を基準軸ＡＸに対して１０°傾斜させた例である。
【００５９】
第４反射面１４ｂ４は、第１反射面１４ｂ１で内面反射された第１の光Ｒａｙ１（及び第３反射面１４ｂ３で内面反射された第２の光Ｒａｙ２）の少なくとも一部を内面反射（全反射）する反射面で、金属蒸着は用いていない。
【００６０】
第４反射面１４ｂ４は、出射面１４ｃの後側焦点Ｆ14c近傍から後方に向かって略水平方向に延びた平面形状の反射面として構成されている。もちろん、これに限らず、第４反射面１４ｂ４は、図１０に示すように、（第３反射面１４ｂ３で内面反射された第２の光Ｒａｙ２を遮らない範囲において）水平に対して傾斜した平面形状の反射面として構成されていてもよい。このようにすれば、第４反射面１４ｂ４で内面反射された第１の光Ｒａｙ１（及び第２の光Ｒａｙ２）の進行方向を下向きに制御することができるため、出射面１４ｃの中央寄りを通る第１の光Ｒａｙ１（及び第２の光Ｒａｙ２）が増加する。その結果、第４反射面１４ｂ４で内面反射された第１の光Ｒａｙ１（及び第２の光Ｒａｙ２）の出射面１４ｃに対する入射効率が向上する。また、第１の光Ｒａｙ１（及び第２の光Ｒａｙ２）が出射面１４ｃから出射する際のフレネル反射損失を抑制することもできる。
【００６１】
第４反射面１４ｂ４の前端縁１４ｂ５は、ロービーム用配光パターンＰ中のカットオフラインＣＬ１〜ＣＬ３を明瞭なものとする観点から、直線ではなく、前方に向かって凹の円弧形状とされている。図１１（ａ）は第４反射面１４ｂ４の上面図、図１１（ｂ）は正面図、図１１（ｃ）は斜視図、図１１（ｄ）は側面図である。
【００６２】
第４反射面１４ｂ４の前端縁１４ｂ５は、左水平カットオフラインＣＬ１に対応する辺ｅ１、右水平カットオフラインＣＬ２に対応する辺ｅ２、及び、左水平カットオフラインＣＬ１と右水平カットオフラインＣＬ２とを接続する斜めカットオフラインＣＬ３に対応する辺ｅ３を含んでいる。
【００６３】
左水平カットオフラインＣＬ１に対応する辺ｅ１は、鉛直方向に関し、右水平カットオフラインＣＬ２に対応する辺ｅ２より低い位置に配置されている（左側通行の場合）。もちろん、これに限らず、左水平カットオフラインＣＬ１に対応する辺ｅ１は、鉛直方向に関し、右水平カットオフラインＣＬ２に対応する辺ｅ２より高い位置に配置されていてもよい（右側通行の場合）。
【００６４】
入射部１４ａ（前方入射面１４ａ１）からレンズ体１４内部に入射して第１反射面１４ｂ１で内面反射された第１の光Ｒａｙ１のうち、第４反射面１４ｂ４によって一部遮光された光は、出射面１４ｃ（基準軸ＡＸより下の下面１４ｃ１）から出射し（図３（ａ）参照）て前方に照射されることにより、上端縁に第４反射面１４ｂ４の前端縁１４ｂ５によって規定されるカットオフラインを含む下面配光パターンＰ１14c1（図３（ｄ）参照）を形成する。一方、入射部１４ａ（前方入射面１４ａ１）からレンズ体１４内部に入射して第１反射面１４ｂ１で内面反射された第１の光Ｒａｙ１のうち、第４反射面１４ｂ４で内面反射された光は、出射面１４ｃ（基準軸ＡＸより上の上面１４ｃ２）から出射し（図３（ａ）参照）て路面方向に向かう。すなわち、第４反射面１４ｂ４で内面反射された第１の光Ｒａｙ１は、カットオフラインを境に折り返されてカットオフライン以下に重畳される形となる。これにより、上端縁に第４反射面１４ｂ４の前端縁１４ｂ５によって規定されるカットオフラインを含む上面配光パターンＰ１14c2（図３（ｃ）参照）が形成される。
【００６５】
出射面１４ｃは、第４反射面１４ｂ４の前端縁１４ｂ５近傍（例えば、前端縁１４ｂ５の左右方向の中心近傍）に後側焦点Ｆ14cが設定された前方に向かって凸のレンズ面として構成されている。出射面１４ｃは、第１反射面１４ｂ１で内面反射された第１の光Ｒａｙ１（及び第３反射面１４ｂ３で内面反射された第２の光Ｒａｙ２）により、出射面１４ｃの後側焦点Ｆ14c近傍に形成される光度分布（光源像）を反転投影して、第１部分配光パターンＰ１（及び第２部分配光パターンＰ２）を形成する。
【００６６】
なお、第４反射面１４ｂ４の前端縁１４ｂ５と出射面１４ｃの下端縁との間には、前方斜め下方に向かって傾斜した曲面形状の面１４ｂ６（光学的機能が意図されていないつなぎの面）が形成されている（図２等参照）。また、第４反射面１４ｂ４の後端縁と前方入射面１４ａ１の前端縁との間には、前方斜め上方に向かって傾斜した平面形状の面１４ｂ７（光学的機能が意図されていないつなぎの面）が形成されている（図２等参照）。
【００６７】
上記構成の第１光学系により、下面配光パターンＰ１14c1（図３（ｄ）参照）及び上面配光パターンＰ１14c2（図３（ｃ）参照）が重畳された第１部分配光パターンＰ１が形成される。
【００６８】
次に、第２部分配光パターンＰ２（図３（ｂ）参照）を形成する第２光学系について説明する。
【００６９】
図２、図４に示すように、入射部１４ａ（後方入射面１４ａ２）、第２反射面１４ｂ２、第３反射面１４ｂ３、第４反射面１４ｂ４及び出射面１４ｃは、入射部１４ａ（後方入射面１４ａ２）からレンズ体１４内部に入射して第２反射面１４ｂ２及び第３反射面１４ｂ３で順次内面反射された第２の光Ｒａｙ２のうち第４反射面１４ｂ４によって一部遮光された光及び第４反射面１４ｂ４で内面反射された光が出射面１４ｃから出射して前方に照射されることにより、上端縁に第４反射面１４ｂ４の前端縁１４ｂ５によって規定されるカットオフラインを含む第２部分配光パターンＰ２（図３（ｂ）参照）を形成する第２光学系を構成している。
【００７０】
第２部分配光パターンＰ２（図３（ｂ）参照）は、後述する下面配光パターンＰ２14c1（図３（ｄ）参照）及び上面配光パターンＰ２14c2（図３（ｃ）参照）が重畳された合成配光パターンとして形成される。
【００７１】
後方入射面１４ａ２（縦断面）は、光源１２からの光の一部（例えば、光源１２の光軸ＡＸ12からの角度範囲が０〜７５度の光）が屈折してレンズ体１４内部に入射する面で、図４に示すように、当該後方入射面１４ａ２からレンズ体１４内部に入射した光源１２からの光が、鉛直方向に関し、屈折（集光）して後方斜め上方に進行する第２の光Ｒａｙ２（すなわち、光源１２の光軸ＡＸ12に対して後方に後方スプリット角θr以上傾いた光線群）となるように、その面形状が構成されている。
【００７２】
具体的には、後方入射面１４ａ２は、光源１２の光軸ＡＸ12より後方において光源１２をその上方から取り囲むように後方斜め下方に向かって傾斜した姿勢で配置された概ね平面形状の面として構成されている。
【００７３】
後方入射面１４ａ２からレンズ体１４内部に入射した第２の光Ｒａｙ２は、鉛直方向に関し、屈折（集光）して図５に示す仮想焦点ＶＦ２から出射した光線のように進行する。すなわち、仮想焦点ＶＦ２は、後方入射面１４ａ２からレンズ体１４内部に入射した第２の光Ｒａｙ２（第２の光線群）を逆方向に延長した場合の交点のことである。
【００７４】
後方スプリット角θrは、後方入射面１４ａ２の傾き角度θriが小さい程大きくなり、逆に、後方入射面１４ａ２の傾き角度θriが大きい程小さくなる。
【００７５】
一方、後方入射面１４ａ２（横断面）は、ロービーム用配光パターンＰの水平方向の光度分布が所望のものとなるように、その面形状が構成されている。
【００７６】
具体的には、後方入射面１４ａ２（横断面）は、光源１２からの光が高効率でレンズ体１４内部に入射するように、直線とＲとを組み合わせた形状（図６参照）とされている。もちろん、これに限らず、後方入射面１４ａ２（横断面）は、光源１２を上方から取り囲むように、光源１２に向かって凹の円弧形状とされていてもよい。
【００７７】
第２反射面１４ｂ２は、後方入射面１４ａ２からレンズ体１４内部に入射した第２の光Ｒａｙ２を内面反射（全反射）する面で、金属蒸着は用いていない。
【００７８】
第２反射面１４ｂ２（縦断面）は、第２の光Ｒａｙ２を内面反射し、かつ、当該内面反射した第２の光Ｒａｙ２が、第３反射面１４ｂ３に向かって進行するように、その面形状が構成されている。
【００７９】
具体的には、第２反射面１４ｂ２（縦断面）は、図１２に示すように、一方の焦点Ｆ１14b2が第２の光Ｒａｙ２を逆方向に延長した場合の交点である仮想焦点ＶＦ２近傍に設定され、他方の焦点Ｆ２14b2が光源１２の下方の位置に設定された双曲線形状（又はこれに類する自由曲面等）の反射面のうち、第２の光Ｒａｙ２を内面反射する範囲の反射面である。
【００８０】
上記双曲線形状の反射面のうち、第２の光Ｒａｙ２を内面反射する範囲の反射面は、レンズ体１４の材料（屈折率）、双曲線形状（他方の焦点Ｆ２14b2の位置等）、鉛直線Ａvに対する光源１２の光軸ＡＸ12の傾斜角度θL、後方入射面１４ａ２の形状（後方スプリット角θr、第２の光Ｒａｙ２の屈折（集光）の程度等）等に応じて変動するため、具体的な数値等で表すのは困難である。
【００８１】
しかしながら、例えば、所定のシミュレーションソフトウエアを用いて、レンズ体１４の材料（屈折率）、双曲線形状（他方の焦点Ｆ２14b2の位置等）、鉛直線Ａvに対する光源１２の光軸ＡＸ12の傾斜角度θL、後方入射面１４ａ２の形状（後方スプリット角θr、第２の光Ｒａｙ２の屈折（集光）の程度等）等のうち、少なくとも１つを変更（調整）し、変更するごとに、後方入射面１４ａ２からレンズ体１４内部に入射した第２の光Ｒａｙ２（正確には、光源点Ｆ14からの光線群）の光路を確認することで、上記双曲線形状の反射面のうち、第２の光Ｒａｙ２を内面反射する範囲の反射面（すなわち、第２反射面１４ｂ２）を見出すことができる。
【００８２】
後方入射面１４ａ２からレンズ体１４内部に入射して第２反射面１４ｂ２で内面反射された第２の光Ｒａｙ２は、鉛直方向に関し、双曲線の幾何学的な性質により、他方の焦点Ｆ２14b2から出射した光線のように進行する。
【００８３】
第２反射面１４ｂ２は、当該第２反射面１４ｂ２で内面反射された第２の光Ｒａｙ２（第２の光線群）が平行の状態（図１３（ａ）参照）で第３反射面１４ｂ３に向かって進行するように、その面形状を構成するのが望ましい。全反射臨界角までの余剰角が大きく取れ第３反射面１４ｂ３の設計自由度が向上するためである。もちろん、これに限らず、第２反射面１４ｂ２は、当該第２反射面１４ｂ２で内面反射された第２の光Ｒａｙ２（第２の光線群）が交差した状態（図１３（ｂ）参照）で第３反射面１４ｂ３に向かって進行するように、その面形状を構成してもよい。
【００８４】
一方、第２反射面１４ｂ２（横断面）は、ロービーム用配光パターンＰの水平方向の光度分布が所望のものとなるように、その面形状が構成されている。
【００８５】
第３反射面１４ｂ３は、第２反射面１４ｂ２で内面反射された第２の光Ｒａｙ２を内面反射（全反射）する面で、金属蒸着は用いていない。
【００８６】
第３反射面１４ｂ３は、図４に示すように、入射部１４ａ（前方入射面１４ａ１、後方入射面１４ａ２）からレンズ体１４内部に入射した第１の光Ｒａｙ１及び第２の光Ｒａｙ２が直接入射しないように、第１の光Ｒａｙ１と第２の光Ｒａｙ２との間のスペース（図４に示すスプリット角θf、θrが示す領域）に配置されている。具体的には、前方スプリット角θfを規定する直線Ｌf（前方入射面１４ａ１からレンズ体１４内部に入射する光線のうち、最も入射面交点ＳP寄りを通る光線）と第１反射面１４ｂ１との交点Ｓfと、後方スプリット角θrを規定する直線Ｌr（後方入射面１４ａ２からレンズ体１４内部に入射する光線のうち、最も入射面交点ＳP寄りを通る光線）と第２反射面１４ｂ２との交点Ｓrと、の間に配置されている。これにより、第１の光Ｒａｙ１及び第２の光Ｒａｙ２が第３反射面１４ｂ３に直接入射して制御されない光（例えば、グレア光）となるのを抑制することができる。
【００８７】
第３反射面１４ｂ３と第１反射面１４ｂ１とは、図４に示すように、段差無く滑らかに連結されていてもよいし、図１３（ｂ）に示すように、段差を介して連結されていてもよい。
【００８８】
第３反射面１４ｂ３（縦断面）は、第２反射面１４ｂ２が内面反射した第２の光Ｒａｙ２を内面反射し、かつ、当該内面反射した第２の光Ｒａｙ２が、鉛直方向に関し、出射面１４ｃの後側焦点Ｆ14c近傍に集光するように、その面形状が構成されている。
【００８９】
具体的には、第３反射面１４ｂ３（縦断面）は、図１４に示すように、第１焦点Ｆ１14b3が出射面１４ｃの後側焦点Ｆ14c近傍に設定され、かつ、第２焦点Ｆ２14b3が他方の焦点Ｆ２14b2近傍に設定された楕円形状（又はこれに類する自由曲面等）の反射面のうち、第２反射面１４ｂ２で内面反射された第２の光Ｒａｙ２を内面反射する範囲の反射面である。
【００９０】
上記楕円形状の反射面のうち、第２反射面１４ｂ２で内面反射された第２の光Ｒａｙ２を内面反射する範囲の反射面は、レンズ体１４の材料（屈折率）、楕円形状（基準軸ＡＸに対する楕円形状の長軸ＡＸ14b3の傾斜角度、楕円形状の長軸ＡＸ14b3の長さ等）、双曲線形状（他方の焦点Ｆ２14b2の位置等）、鉛直線Ａvに対する光源１２の光軸ＡＸ12の傾斜角度θL、後方入射面１４ａ２の形状（後方スプリット角θr、第２の光Ｒａｙ２の屈折（集光）の程度等）等に応じて変動するため、具体的な数値等で表すのは困難である。
【００９１】
しかしながら、例えば、所定のシミュレーションソフトウエアを用いて、レンズ体１４の材料（屈折率）、楕円形状（基準軸ＡＸに対する楕円形状の長軸ＡＸ14b3の傾斜角度、楕円形状の長軸ＡＸ14b3の長さ等）、双曲線形状（他方の焦点Ｆ２14b2の位置等）、鉛直線Ａvに対する光源１２の光軸ＡＸ12の傾斜角度θL、後方入射面１４ａ２の形状（後方スプリット角θr、第２の光Ｒａｙ２の屈折（集光）の程度等）等のうち、少なくとも１つを変更（調整）し、変更するごとに、第２反射面１４ｂ２で内面反射された第２の光Ｒａｙ２（正確には、光源点Ｆ14からの光線群）の光路を確認することで、上記楕円形状の反射面のうち、第２の光Ｒａｙ２を内面反射する範囲の反射面（すなわち、第３反射面１４ｂ３）を見出すことができる。
【００９２】
一方、第３反射面１４ｂ３（横断面）は、ロービーム用配光パターンＰの水平方向の光度分布が所望のものとなるように、その面形状が構成されている。例えば、第３反射面１４ｂ３（横断面）は、上記楕円形状を基本としつつ、ロービーム用配光パターンＰの水平方向の光度分布が所望のものとなるように、上記基本の楕円形状を調整した形状の反射面として構成されている。
【００９３】
入射部１４ａ（後方入射面１４ａ２）からレンズ体１４内部に入射して第２反射面１４ｂ２及び第３反射面１４ｂ３で順次内面反射された第２の光Ｒａｙ２のうち、第４反射面１４ｂ４によって一部遮光された光は、出射面１４ｃ（基準軸ＡＸより下の下面１４ｃ１）から出射し（図３（ａ）参照）て前方に照射されることにより、上端縁に第４反射面１４ｂ４の前端縁１４ｂ５によって規定されるカットオフラインを含む下面配光パターンＰ２14c1（図３（ｄ）参照）を形成する。一方、入射部１４ａ（後方入射面１４ａ２）からレンズ体１４内部に入射して第２反射面１４ｂ２及び第３反射面１４ｂ３で順次内面反射された第２の光Ｒａｙ２のうち、第４反射面１４ｂ４で内面反射された光は、出射面１４ｃ（基準軸ＡＸより上の上面１４ｃ２）から出射し（図３（ａ）参照）て路面方向に向かう。すなわち、第４反射面１４ｂ４で内面反射された第２の光Ｒａｙ２は、カットオフラインを境に折り返されてカットオフライン以下に重畳される形となる。これにより、上端縁に第４反射面１４ｂ４の前端縁１４ｂ５によって規定されるカットオフラインを含む上面配光パターンＰ２14c2（図３（ｃ）参照）が形成される。
【００９４】
上記構成の第２光学系により、下面配光パターンＰ２14c1（図３（ｄ）参照）及び上面配光パターンＰ２14c2（図３（ｃ）参照）が重畳された第２部分配光パターンＰ２が形成される。
【００９５】
そして、第１光学系によって形成される第１部分配光パターンＰ１及び第２光学系によって形成される第２部分配光パターンＰ２が重畳されることで、ロービーム用配光パターンＰ（図３（ｂ）参照）が形成される。このロービーム用配光パターンＰは、上端縁に第４反射面１４ｂ４の前端縁１４ｂ５によって規定されるカットオフラインＣＬ１〜ＣＬ３を含むものとなる。
【００９６】
前方入射面１４ａ１からレンズ体１４内部に入射する光源１２からの光及び後方入射面１４ａ２からレンズ体１４内部に入射する光源１２からの光の割合は、光源１２を当該光源１２（例えば、光源点Ｆ14）を中心に回転させて光源１２の光軸ＡＸ12と鉛直線Ａvとがなす角度を調整することで調整することができる。
【００９７】
例えば、図４に示す状態から、光源１２を当該光源１２（例えば、光源点Ｆ14）を中心に時計回りに回転させて光源１２の光軸ＡＸ12と鉛直線Ａvとがなす角度を大きくすることで、前方入射面１４ａ１からレンズ体１４内部に入射する光源１２からの光（第１の光Ｒａｙ１）を増やすことができる。その結果、第１の光Ｒａｙ１によって形成される第１部分配光パターンＰ１を明るくすることができる。
【００９８】
また例えば、図４に示す状態から、光源１２を当該光源１２（例えば、光源点Ｆ14）を中心に反時計回りに回転させて光源１２の光軸ＡＸ12と鉛直線Ａvとがなす角度を小さくすることで、後方入射面１４ａ２からレンズ体１４内部に入射する光源１２からの光（第２の光Ｒａｙ２）を増やすことができる。その結果、第２の光Ｒａｙ２によって形成される第２部分配光パターンＰ２を明るくすることができる。
【００９９】
本実施形態によれば、コストアップ等の要因となる金属蒸着を省略でき、かつ、反射損失（光損失）が生ずるのを抑制することができるレンズ体１４及びこれを備えた車両用灯具１０を提供することができる。
【０１００】
これは、レンズ体１４内部に入射する光源１２からの光を、前方斜め上方に進行する第１の光Ｒａｙ１と後方斜め上方に進行する第２の光Ｒａｙ２とに分割する入射部１４ａ、レンズ体１４内部に入射した第１の光Ｒａｙ１を内面反射（全反射。理論上、反射率が１００％）する第１反射面１４ｂ１、レンズ体１４内部に入射した第２の光Ｒａｙ２を内面反射する第２反射面１４ｂ２、第２反射面１４ｂ２で内面反射された第２の光Ｒａｙ２を内面反射する第３反射面１４ｂ３、第１反射面１４ｂ１で内面反射された第１の光Ｒａｙ１及び第３反射面１４ｂ３で内面反射された第２の光Ｒａｙ２の少なくとも一部を内面反射する第４反射面１４ｂ４を備えたことによるものである。
【０１０１】
また、本実施形態によれば、カットオフライン近傍の光度が相対的に高い遠方視認性に優れたロービーム用配光パターンＰを形成することができる。
【０１０２】
これは、第１反射面１４ｂ１で内面反射された第１の光Ｒａｙ１及び第３反射面１４ｂ３で内面反射された第２の光Ｒａｙ２が、少なくとも、鉛直方向に関し、出射面１４ｃの後側焦点Ｆ14c近傍に集光することによるものである。
【０１０３】
次に、変形例について説明する。
【０１０４】
上記実施形態では、本発明を上端縁にカットオフラインＣＬ１〜ＣＬ３を含むロービーム用配光パターンＰを形成する車両用灯具（車両用前照灯）に適用した例について説明したが、本発明は、これに限らず、上端縁にカットオフラインを含む配光パターンを形成する他の車両用灯具（例えば、フォグランプ）に適用することもできる。
【０１０５】
上記実施形態及び各変形例で示した各数値は全て例示であり、これと異なる適宜の数値を用いることができる。
【０１０６】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０１０７】
１０…車両用灯具、１２…光源、１４…レンズ体、１４ＡＡ…後端部、１４ＢＢ…前端部、１４ａ…入射部、１４ａ１…前方入射面、１４ａ２…後方入射面、１４ｂ１…第１反射面、１４ｂ２…第２反射面、１４ｂ３…第３反射面、１４ｂ４…第４反射面、１４ｂ５…前端縁、１４ｃ…出射面、１４ｃ１…下面、１４ｃ２…上面
【図１】
0006340751.tif 000002
【図２】
0006340751.tif 000003
【図３】
0006340751.tif 000004
【図４】
0006340751.tif 000005
【図５】
0006340751.tif 000006
【図６】
0006340751.tif 000007
【図７】
0006340751.tif 000008
【図８】
0006340751.tif 000009
【図９】
0006340751.tif 000010
【図１０】
0006340751.tif 000011
【図１１】
0006340751.tif 000012
【図１２】
0006340751.tif 000013
【図１３】
0006340751.tif 000014
【図１４】
0006340751.tif 000015
【図１５】
0006340751.tif 000016